(57)【要約】      （修正有）【課題】電気生理学データを圧縮する装置および方法を提供する。【解決手段】装置は、ネットワークインターフェース及びプロセッサ２８を含む。ネットワークインターフェースは、通信ネットワーク上で通信するよう構成されている。プロセッサ２８は、（ｉ）時間の関数として取得した医療パラメータを含むデータ、及び（ｉｉ）この期間内の目的の１つ以上の時間間隔の選択部を受信するよう構成されている。本プロセッサ２８は、選択された時間間隔内にある、第１の解像度でのデータの第１の部分を圧縮すること、及び第１の解像度よりも粗い第２の解像度で、選択された時間間隔の外側にあるデータの第２の部分を圧縮することを行うように更に構成されている。本プロセッサは、通信ネットワーク上で、ネットワークインターフェースを介して、データの圧縮された第１及び第２の部分を送信するよう更に構成されている。【選択図】図１
2020025875.tif 000002
【特許請求の範囲】
【請求項１】
通信ネットワーク上で通信するよう構成されているネットワークインターフェースと、
プロセッサであって、
（ｉ）時間の関数として取得した医療パラメータを含むデータ、及び（ｉｉ）この期間内の目的の１つ以上の時間間隔の選択部を受信することと、
前記選択された時間間隔の内にある前記データの第１の部分を、第１の解像度で圧縮することと、
前記選択された時間間隔の外側にある前記データの第２の部分を、前記第１の解像度よりも粗い、第２の解像度で圧縮することと、
前記通信ネットワーク上で、前記ネットワークインターフェースを介して、前記データの前記圧縮された第１及び第２の部分を送信することと、
を行うように構成されたプロセッサと、
を備える、装置。
【請求項２】
前記１つ以上の時間間隔の前記選択部を医師から受信するよう構成されている、入力デバイスを備える、請求項１に記載の装置。
【請求項３】
前記プロセッサが、所与の基準に基づいて、前記１つ以上の時間間隔を自動的に選択するよう更に構成されている、請求項１に記載の装置。
【請求項４】
前記受信データが、１つ以上の心電図（ＥＣＧ）トレースを含む、請求項１に記載の装置。
【請求項５】
前記プロセッサが、前記選択された時間間隔にわたり算定された平均心拍数に基づいて、前記第１の解像度を選択するよう構成されている、請求項４に記載の装置。
【請求項６】
前記プロセッサは、前記時間間隔の間に不整脈が記録された、１つ以上の兆候に基づいて、前記１つ以上の時間間隔を選択するよう構成されている、請求項４に記載の装置。
【請求項７】
前記第１の解像度が、前記第２の解像度の少なくとも２倍である、請求項１に記載の装置。
【請求項８】
通信ネットワーク上で通信するよう構成されているネットワークインターフェースと、
プロセッサであって、
時間の関数として取得した医療パラメータを含めたデータを、前記ネットワークインターフェースを介して前記通信ネットワーク上で受信することであって、前記データが、（ｉ）１つ以上の選択された時間間隔内にあり、かつ第１の解像度で圧縮されている第１の部分、及び（ｉｉ）前記選択された時間間隔の外側にあり、かつ前記第１の解像度よりも粗い第２の解像度で圧縮されている第２の部分を含む、ことと、
前記データの前記第１及び第２の部分を解凍して、前記解凍データを処理することと、
を行うように構成されたプロセッサと、
を備える、装置。
【請求項９】
前記プロセッサが、前記解凍データをアーカイブに保管するよう構成されている、請求項８に記載の装置。
【請求項１０】
前記プロセッサが、前記ネットワークインターフェースを介して、前記通信ネットワーク上で前記データの前記解凍された第１及び第２の部分を、リモートプロセッサに送信するよう構成されている、請求項８に記載の装置。
【請求項１１】
プロセッサにおいて、（ｉ）時間の関数として取得した医療パラメータを含むデータ、及び（ｉｉ）期間内の目的の１つ以上の時間間隔の選択部を受信することと、
前記選択された時間間隔内にある前記データの第１の部分を、第１の解像度で圧縮することと、
前記選択された時間間隔の外側にある前記データの第２の部分を、前記第１の解像度よりも粗い、第２の解像度で圧縮することと、
通信ネットワーク上で、前記データの前記圧縮された第１及び第２の部分を送信することと、
を含む、方法。
【請求項１２】
前記選択部を受信することが、入力デバイスを使用して、医師から前記１つ以上の時間間隔の前記選択部を受信することを含む、請求項１１に記載の方法。
【請求項１３】
所与の基準に基づいて、前記１つ以上の時間間隔を自動的に選択することを含む、請求項１１に記載の方法。
【請求項１４】
前記データを受信することが、１つ以上の心電図（ＥＣＧ）トレースを受信することを含む、請求項１１に記載の方法。
【請求項１５】
前記選択された時間間隔にわたり算定された平均心拍数に基づいて、前記第１の解像度を選択することを含む、請求項１４に記載の方法。
【請求項１６】
前記１つ以上の時間間隔を選択することは、前記時間間隔の間に不整脈が記録された、１つ以上の兆候に基づいて、前記１つ以上の時間間隔を選択することを含む、請求項１４に記載の方法。
【請求項１７】
前記第１の解像度が、前記第２の解像度の少なくとも２倍である、請求項１１に記載の方法。
【請求項１８】
プロセッサにおいて、時間の関数として取得した医療パラメータを含めたデータを、通信ネットワーク上で受信することであって、前記データが（ｉ）１つ以上の選択された時間間隔内にあり、かつ第１の解像度で圧縮されている第１の部分、及び（ｉｉ）前記選択された時間間隔の外側にあり、かつ前記第１の解像度よりも粗い第２の解像度で圧縮されている第２の部分を含む、ことと、
前記データの前記第１及び第２の部分を解凍して、前記解凍データを処理することと、
を含む、方法。
【請求項１９】
前記プロセッサを使用して、前記解凍データをアーカイブに保管することを含む、請求項１８に記載の方法。
【請求項２０】
前記通信ネットワーク上で、リモートプロセッサに前記データの前記解凍された第１及び第２の部分を送信することを含む、請求項１８に記載の方法。
【発明の詳細な説明】
【技術分野】
【０００１】
本発明は、概して、患者の健康データを処理して遠隔的に表示すること、特にリモートサーバーにアップロードするための電気生理学データの圧縮に関する。
【背景技術】
【０００２】
心臓の問題などの医療状態の遠隔診断を容易にするための、さまざまな公知方法が提案された。例えば、米国特許出願公開第２０１４／０１９４７６２号は、患者の心電図（ＥＣＧ）データを表示するための方法を記載している。この方法は、ＥＣＧ波形を含むＥＣＧデータを受信すること、不整脈事象を含めた解析ＥＣＧデータを受信すること、検出された不整脈事象の指標を生成すること、及び検出された不整脈事象の時間に関連する位置のＥＣＧ波形に関連する検出された不整脈事象の兆候を表示することを含む。患者のＥＣＧデータを表示するためのシステムも開示されている。
【０００３】
別の例として、米国特許出願公開第２０１３／０２３１９４７号は、計算資源、ネットワーク通信速度及びユーザー経験の利用を最適化するため、ネットワークに接続した計算用デバイスの中でデータ処理を分配する、医療モニタリングのための適合システムを記載している。データ処理は、レベル（計算デバイス）間の二方向通信によるいくつかのレベルに分配されて、データ圧縮、フィルター処理及び分析、並びに送信及び／又は受信に利用可能なバッファされたデータのサイズを連携させて調節する。
【０００４】
米国特許出願公開第２０１７／０３００６５４号は、遠隔医療システム及び方法を記載している。システムのコントローラーは、トランシーバを使用して、トランスポートモルフィングプロトコル（Transport Morphing Protocol：ＴＭＰ）を使用して操作センターとの遠隔医療セッションを確立することができ、このＴＭＰとは、確認応答をベースとするユーザーデータグラムプロトコルのことである。コントローラーはまた、１種以上の一過性ネットワーク悪化をマスクして、遠隔医療セッションのレジリエンシーを増大させることができる。遠隔医療システムは、２Ｄ及び３Ｄの頚動脈のドップラー並びに経頭蓋ドップラー、並びに／又は他の診断デバイスを含むことができ、リアルタイムでの接続、及び緊急車両中の医療従事者と必要な患者への中間診断及び処置のための受け入れ病院との間の通信を実現する。
【発明の概要】
【課題を解決するための手段】
【０００５】
本発明の実施形態は、ネットワークインターフェース及びプロセッサを含む装置を提供する。ネットワークインターフェースは、通信ネットワーク上で通信するよう構成されている。本プロセッサは、（ｉ）時間の関数として取得した医療パラメータを含むデータ、及び（ｉｉ）この期間内の目的の１つ以上の時間間隔の選択部を受信するよう構成されている。本プロセッサは、選択された時間間隔内にある、第１の解像度でのデータの第１の部分を圧縮すること、及び第１の解像度よりも粗い第２の解像度で、選択された時間間隔の外側にあるデータの第２の部分を圧縮することを行うように更に構成されている。本プロセッサは、通信ネットワーク上で、ネットワークインターフェースを介して、データの圧縮された第１及び第２の部分を送信するよう更に構成されている。
【０００６】
一部の実施形態では、本装置は、１つ以上の時間間隔の選択部を医師から受信するよう構成されている、入力デバイスを更に含む。
【０００７】
一部の実施形態では、本プロセッサは、所与の基準に基づいて、１つ以上の時間間隔を自動的に選択するよう更に構成されている。
【０００８】
実施形態では、受信データは、１つ以上の心電図（ＥＣＧ）トレースを含む。
【０００９】
別の実施形態では、本プロセッサは、選択された時間間隔にわたり算定された平均心拍数に基づいて、第１の解像度を選択するよう構成されている。
【００１０】
一部の実施形態では、本プロセッサは、時間間隔の間に不整脈が記録された、１つ以上の兆候に基づいて１つ以上の時間間隔を選択するよう構成されている。
【００１１】
一部の実施形態では、第１の解像度は、第２の解像度の少なくとも２倍である。
【００１２】
本発明の実施形態によれば、ネットワークインターフェース及びプロセッサを含む装置が更に提供される。ネットワークインターフェースは、通信ネットワーク上で通信するよう構成されている。本プロセッサは、時間の関数として取得した医療パラメータを含めたデータを、ネットワークインターフェースを介した通信ネットワーク上で受信するよう構成されており、データは（ｉ）１つ以上の選択された時間間隔内にあり、かつ第１の解像度で圧縮されている第１の部分、及び（ｉｉ）選択された時間間隔の外側にあり、かつ第１の解像度よりも粗い第２の解像度で圧縮されている第２の部分を含む。本プロセッサは、データの第１及び第２の部分を解凍して、解凍データを処理するよう更に構成されている。
【００１３】
一部の実施形態では、本プロセッサは、解凍データをアーカイブに保管するよう構成されている。
【００１４】
一部の実施形態では、本プロセッサは、ネットワークインターフェースを介して、通信ネットワーク上でデータの解凍された第１及び第２の部分を、リモートプロセッサに送信するよう構成されている。
【００１５】
プロセッサにおいて、（ｉ）時間の関数として取得した医療パラメータを含むデータ、及び（ｉｉ）この期間内の目的の１つ以上の時間間隔の選択部を受信することを含む、本発明の実施形態による方法が更に提供される。選択された時間間隔内にあるデータの第１の部分は、第１の解像度で圧縮される。選択された時間間隔の外側にあるデータの第２の部分は、第１の解像度よりも粗い、第２の解像度で圧縮される。通信ネットワーク上で、データの圧縮された第１及び第２の部分が送信される。
【００１６】
プロセッサにおいて、時間の関数として取得した医療パラメータを含めたデータを、通信ネットワーク上で受信することを含む、本発明の実施形態による方法がやはり提供され、データは（ｉ）１つ以上の選択された時間間隔内にあり、かつ第１の解像度で圧縮されている第１の部分、及び（ｉｉ）選択された時間間隔の外側にあり、かつ第１の解像度よりも粗い第２の解像度で圧縮されている第２の部分を含む。データの第１及び第２の部分は解凍されて、解凍データが処理される。
【００１７】
本発明は、以下の「発明を実施するための形態」を図面と併せて考慮することで、より完全に理解されよう。
【図面の簡単な説明】
【００１８】
【図１】本発明の実施形態による、電気解剖学的マッピング用システムの模式的な描写図である。
【図２】本発明の実施形態による、圧縮するために選択されたデータの医師に関連する心電図（ＥＣＧ）時間間隔の描写図である。
【図３】ワークフローを模式的に例示したブロック図であり、その間に、ＥＣＧデータが、本発明の実施形態により、処理されて通信される。
【図４】本発明の実施形態による、ＥＣＧデータを選択的に圧縮して、選択的に圧縮されたデータを遠隔的に表示するための方法を模式的に例示したフローチャートである。
【発明を実施するための形態】
【００１９】
概論
心臓又は脳状態を特徴づけるなどの電気生理学的（ＥＰ）データを生成する医療システムは、保管又は分析などの追加処理のために、通信ネットワーク上で、データを、例えば、インターネットウェブをベースとするサーバーに送信することが必要となることがある。ＥＰデータ、例えば、心電図（ＥＣＧ）又は脳波（ＥＥＧ）は、続いて、リモートコンピュータにダウンロードされて、精査するために表示され得る。
【００２０】
インターネットウェブをベースとするサーバー（クラウドサーバー又はリモートサーバーとも呼ばれる）と通信している間、医療システム及びリモートコンピュータは、例えば、ネットワークのバンド幅制限のために、サーバーとの出入りという双方向で問題に遭遇することがある。通常、取得された表示可能なデータの一部しか、臨床的に重要ではないが、表示可能なデータのすべてをそのように無差別に送信することは、非効率であり、利用可能な通信バンド幅の遅延及び／又は超過を引き起こすおそれがある。
【００２１】
本明細書のこれ以降に記載されている本発明の実施形態は、「賢明な」方法で、上記のＥＰデータなどの医療データを圧縮するための方法を提供する。本方法により、制限されたバンド幅を有するリンクを使用して、多量の「賢明に」圧縮された医療データをクラウドサーバーにアップロードすること、及び続いて、データをリモートプロセッサにダウンロードして、リモートプロセッサが、これらのデータを解凍して、遠隔位に位置するディスプレイ上にデータを表示することが可能になる。
【００２２】
賢明な圧縮は、選択的圧縮の過程によって、医師により又は自動的に設定される基準に基づく。一部の実施形態では、以下に記載されているとおり、基準は、目的のデータを含む時間間隔を選択するために指定される。
【００２３】
一般に、本明細書に記載されている、賢明な選択的圧縮技法は、データの量子化を選択的に低減し（例えば、各データ値を表すために使用されるビット数）、データのサンプリング速度を低下させることにより、又は任意の他の好適な方法で、データを圧縮することができる。圧縮は、任意の適切な圧縮ツールを利用することができる。本文脈では、任意のこのような圧縮スキームは、ある特定の解像度を特徴とする。より精密な解像度は、元々のデータを表す際に良好な品質に対応するが、より多量のデータ容量（したがって、送信バンド幅）を犠牲にする。より粗い解像度は、ある程度の品質劣化を犠牲にした、より少ないデータ容量に相当する。
【００２４】
一部の実施形態では、開示されたローカルクライアントシステムは、（ｉ）通信ネットワーク上で通信するよう構成されているネットワークインターフェース、及び（ｉｉ）（ａ）時間の関数として取得された医療パラメータを含むデータ、及び（ｂ）その期間内の目的の１つ以上の時間間隔の選択部を受信するよう構成されているプロセッサを備える。本プロセッサは、選択された時間間隔内にある、第１の解像度でのデータの第１の部分を圧縮することと、第１の解像度よりも粗い第２の解像度で、選択された時間間隔の外側にあるデータの第２の部分を圧縮することと、ネットワークインターフェースを介して、通信ネットワーク上でデータの圧縮された第１及び第２の部分を送信することと、を行うように更に構成されている。
【００２５】
開示された説明では、第１の解像度はまた、「高解像度」とも呼ばれる一方、第２の解像度は「低解像度」とも呼ばれる。一部の実施形態では、高解像度でデータの一部を圧縮することは、データをまったく圧縮することなく、データのその部分を送信することを意味する。
【００２６】
一部の実施形態では、ＥＰデータは、各々３２ビット／秒（ｂｐ）でサンプリングされた、数百のＥＣＧチャネルを含む。プロセッサは、サンプリングされたＥＣＧチャネルの一部の時間間隔を高解像度で送信し、ＥＣＧデータの残りを低解像度に圧縮して送信する。ローカルプロセッサ（例えば、クライアントシステム）は、更なる分析及び／又は精査のために、例えば、医師により選択されたデータの時間間隔しか高解像度で送信しない。
【００２７】
医師は、相互作用手段（すなわち、入力デバイス）を使用して、マウス、タッチスクリーン及び／又はキーボードを使用して、領域に印をつけるなどにより、第１の解像度に圧縮されるべきデータの第１の部分を選択することができる。実施形態では、表示可能なデータの１つ以上の選択された区域が、通信ネットワーク上で、１６〜３２ｂｐなどの高解像度でクラウドサーバーにアップロードされると同時に、残りのデータは、８ｂｐなどのより粗い解像度で送信される。
【００２８】
代替として又は更には、コンピュータソフトウェアなどの自動プロセスを行い、例えば医師による入力デバイスを介して画定されて入力されたガイドラインに基づいて、圧縮するデータの選択部を区別することができる。実施形態では、一組の基準を、例えば、ソフトウェアに適用して、分析のために、高解像度で送信するためデータの時間間隔を選択することができる。このような基準の一例は、平均心拍数の動きの記録である。
【００２９】
一部の実施形態では、賢明な圧縮は、ダウンリンクで更に使用され、この場合、「懸命に」圧縮された表示可能なデータは、例えば、リモートサーバーにより再度、区別して処理され、このリモートサーバーは、低解像度データを再処理し、そうして、一層低い解像度で表示される一方、高解像度データは、同じ高解像度で送信される。
【００３０】
医師の決定によって、及び／又は医師が決めたガイドラインにしたがって自動的に、表示可能なデータを選択的に圧縮する開示方法は、遠隔医療診断のための手技を改善することができる。具体的には、本開示方法は、データ送信量を低下させる支援をし、そうすることにより、遠隔診断診療の手技が容易になる。
【００３１】
システムの説明
図１は、本発明の実施形態による、電気解剖学的マッピング用システム２１の模式的な描写図である。図１は、患者２５の心臓２３の電気解剖学的マッピングを実施するために電気解剖学的カテーテル２９を使用している医師２７を示す。カテーテル２９は、その遠位端部に、１つ以上のアーム２０を備え、そのそれぞれに、１つ以上のマッピング用電極２２が連結されている。マッピング手技中に、電極２２は、心臓２３の組織から／組織に、心臓内ＥＣＧなどの信号を取得及び／又は注入する。マッピング用電極２２の個々の位置（すなわち、心臓内ＥＣＧ信号が測定される場所）は、下記のとおり、同様に追跡される。プロセッサ２８は、電気的インターフェース３５によりこれらの信号を受信し、これらの信号に含まれる情報を処理して、電気解剖学的マップ３１などの表示可能な医療データを構築し、ローカルディスプレイ２６上にＥＣＧトレース４０を提示する。
【００３２】
電気生理学的データを外部感知するため、複数の外部電極２４が、患者２５の身体に接続される。例えば、３本の外部電極２４が、患者の胸部に接続され得、別の３本の外部電極が、患者の背部に接続され得る。例示しやすいように、１本の外部電極しか図１には示されていない。
【００３３】
患者の心臓２３内のマッピング用電極２２の位置を追跡するために使用されるシステムの一例は、ＣＡＲＴＯ（登録商標）４システム（Ｂｉｏｓｅｎｓｅ  Ｗｅｂｓｔｅｒ製、Ｉｒｖｉｎｅ、Ｃａｌｉｆｏｒｎｉａ）である。ＣＡＲＴＯ（登録商標）４システムは、マッピング用電極２２を使用して、外部電極２４間に電圧を印加することにより、心臓２３に誘発される電位を感知する。感知電位に基づいて、及び患者の身体上の電極２４の既知の位置を考慮して、プロセッサ２８は、患者の心臓内の電極２２の各々の推定位置を算定する。こうして、プロセッサは、電気生理学的信号などの、電極２２から受信した任意の所与の信号と信号が得られた位置とを関係付けることができる。
【００３４】
図１に示されている例示は、単に概念を分かりやすくする目的で選択されている。Ｌａｓｓｏ（登録商標）カテーテル（Ｂｉｏｓｅｎｓｅ  Ｗｅｂｓｔｅｒにより製造されている）などの他のタイプの電気生理学的感知幾何学的形状も採用され得る。加えて、接触センサは、電気解剖学的カテーテル２９の遠位端部に装着され、組織との電極接触の物理的品質を示すデータを送信してもよい。実施形態では、いくつかの電極２２の測定値は、その物理的接触の質に乏しいため捨てることができるが、他の電極の測定値は、その接触の品質が高いために有効と見なすことができる。
【００３５】
プロセッサ２８は、通常、本明細書に記載されている機能を実行するために、ソフトウェアがプログラムされている汎用コンピュータを備える。ソフトウェアは、例えばネットワーク上で、コンピュータに電子形態でダウンロードすることができるか、又は代替として、又は更には、磁気メモリ、光学メモリ又は電子メモリなどの、非一時的実体的媒体上で提供及び／又は記憶されてもよい。
【００３６】
医師に関連する選択的なデータ圧縮
図２は、本発明の実施形態による、圧縮するために選択されたデータの医師に関連する心電図（ＥＣＧ）時間間隔の描写図である。表示されたＥＣＧトレース４０は、例えば、正常な心拍の期間の間の小さな密の不規則波形パターン４２により特徴づけられる、動脈の線維化の期間によって妨げられる、正常な心拍リズム４３を示す。実施形態では、タッチスクリーンディスプレイ又はマウスなどの相互作用手段を使用して、医師２７は、高解像度５０でリモートサーバーにアップロードされる時間間隔５２を選択する一方、表示されたＥＣＧトレース４０の残りは、例えば、以下に更に記載されているとおり、デフォルトの低解像度４４によりアップロードされる。
【００３７】
図２に示されている例示は、単に概念を分かりやすくする目的で選択されている。図２は、本発明の実施形態に関連する要素のみを示す。電気解剖学的マップなどの表示可能な他のタイプの医療データは、クラウドサーバーに「賢明」にアップロードされるよう選択的に圧縮され得る。例えば、医師２７は、不整脈を引き起こす組織部位に関する情報を含む表示された電気解剖学的マップの領域を選択して、高解像度で圧縮され得る一方、このマップの残りは、低解像度で圧縮される。別の実施形態では、プロセッサ２８は、時間間隔５２におけるものなどのデータを自動的に特定して選択し、選択したデータを高解像度で選択的に圧縮する。
【００３８】
図３は、ワークフローを模式的に例示したブロック図であり、その間に、ＥＣＧデータが、本発明の実施形態により、処理されて通信される。表示可能なデータは、ローカルプロセッサにより選択的に圧縮されて、ＮＩＣによりネットワークに接続されているローカルプロセッサによって、クラウドサーバーにアップロードされ、解凍するリモートプロセッサにダウンロードされて、選択的に圧縮されたデータを表示する。
【００３９】
図３は、３２ｂｐである数百のＥＣＧチャネルなどの取得データが、インターフェース３５によって、ローカルプロセッサ２８にどのように送信されるかを示している。一部の実施形態では、プロセッサ２８は、それぞれのＥＣＧトレース及び／又は電気生理学的マップを算定する。ローカルディスプレイ２６上のデータを精査する医師２７は、例えば、算定されたＥＣＧトレースを評価して、不規則を特定して、プロセッサ２８のためにＥＣＧトレースの時間間隔５２を選択して、追加診断のために、高解像度で圧縮して送信する。プロセッサ２８とディスプレイ２６との間のリンク４６は、二方向であり、これにより医師２７は、選択したものを送信することができる。解像度は、元々のもの又は低解像度、例えば、３２ｂｐ又は１６ｂｐとすることができる。残りのデータは、低解像度、例えば８ｂｐで、プロセッサ２８により圧縮される。
【００４０】
ネットワーク−インターフェース−Ｃａｒｄ（ＮＩＣ）３８及びリンク５６などの、ネットワークインターフェースによって、通信ネットワーク１００に接続されている、プロセッサ２８は、リモートサーバー６０に、選択的に圧縮されたＥＣＧトレースを送信する（すなわち、アップロードする）。圧縮データは、例えば、１０メガビット／秒のアップロード速度を支持する、リンク５６によりアップロードされ得る。実施形態では、クラウドサーバー６０は、ＮＩＣ６８及びリンク８６を介して、ネットワーク１００に二方向に接続されている。クラウドサーバー６０は、選択的に圧縮されたＥＣＧトレースを受信して、データ操作、保存及びアーカイブに保管という追加工程を行う。一部の実施形態では、ネットワーク１００を介して、リモートサーバー６０に送信された選択的に圧縮されたＥＣＧトレースは、リモートユーザーによって、リンク６６及びＮＩＣ４８を介してネットワーク１００に接続されている、リモートプロセッサ５８にダウンロードされ、リモートプロセッサ５８により解凍されて、リモートディスプレイ６９上に解凍データを更に提示する。医療専門家は、リモートディスプレイ６９上のＥＣＧトレースを吟味して、遠い場所から診断することができる。
【００４１】
図３に示されている例のブロック図は、単に概念を分かりやすくする目的で選択されている。追加のサーバー及びスイッチなどの他のネットワーク要素が存在してもよい。１つ超の遠隔位置は、ダウンロードしたデータを表示するためにアドレスが置かれ得る。他のタイプの表示可能な医療データの転送は、電気解剖学的マップなどの選択的圧縮からやはり利益を得ることができる。
【００４２】
図４は、本発明の実施形態による、ＥＣＧデータを選択的に圧縮して、選択的に圧縮されたデータを遠隔的に表示するための方法を模式的に例示したフローチャートである。このプロセスは、ローカルディスプレイ表示工程７０における、プロセッサ２８がＥＣＧトレースを算出して、医師２７にローカルディスプレイ２６上に提示することから始まる。次に、医師２７は、高解像度での圧縮選択工程７２で、ディスプレイ２６上に提示されるＥＣＧトレースを精査し、プロセッサ２８により高解像度で圧縮されるＥＣＧトレースの時間間隔５２（すなわち、ある部分）を選択する（例えば、指摘及び／又は時間間隔選択ツールなどの相互作用手段を使用して、ディスプレイ２６上で）。医師２７は、低解像度での圧縮選択工程７４において、プロセッサ２８によって低解像度で圧縮されるデータの別の部分（例えば、残りの部分）を選択する。
【００４３】
選択的圧縮工程７６において、プロセッサ２８は、工程７２及び７４で選択した、高解像度及び低解像度で選択的圧縮を実行する。次に、プロセッサ２８は、アップロード工程７８で、クラウドプロセッサ６０に選択的に圧縮されたデータをアップロードする。任意選択のデータ遠隔操作工程８０では、クラウドプロセッサ６０は、追加の算定及び／又はアーカイブ保管などのアクションを行う。ダウンロード工程８２では、所定のとおり、又は要求時のどちらかに、クラウドサーバー６０は、ディスプレイ上に表示するために、例えば、別の医師による評価のために、遠隔位置に選択的に圧縮されたデータをダウンロードする。
【００４４】
図４に示されている例となるフローチャートは、単に概念を分かりやすくする目的で選択される。代替実施形態では、例えば、ディスプレイ２６上で選択する代わりに、表示可能なデータの選択を、上記のとおり、ソフトウェアを使用するプロセッサによって行う。
【００４５】
本明細書に記載されている実施形態は、主に、電気生理学的データを選択的に圧縮することに対処するものであるが、本明細書に記載されている方法及びシステムはまた、医療画像の処理におけるものなどの、他の医療用途に使用することができる。本明細書に記載されている方法及びシステムはまた、ゲーム、バーチャルリアリティ及び自動車用機器におけるものなどの、他の分野に使用することもできる。
【００４６】
したがって、上記に述べた実施形態は、例として引用したものであり、また本発明は、上記に具体的に示し説明したものに限定されないことが理解されよう。むしろ本発明の範囲は、上述のさまざまな特徴の組み合わせ及びその一部の組み合わせの両方、並びに上述の説明を読むことで当業者により想到されるであろう、また従来技術において開示されていないそれらの変形があり及び修正を含むものである。参照により本特許出願に援用される文献は、これらの援用文献において、いずれかの用語が本明細書において明示的又は暗示的になされた定義と矛盾して定義されている場合には、本明細書における定義のみを考慮するものとする点を除き、本出願の一部と見なすものとする。
【００４７】
〔実施の態様〕
（１）  通信ネットワーク上で通信するよう構成されているネットワークインターフェースと、
プロセッサであって、
（ｉ）時間の関数として取得した医療パラメータを含むデータ、及び（ｉｉ）この期間内の目的の１つ以上の時間間隔の選択部を受信することと、
前記選択された時間間隔の内にある前記データの第１の部分を、第１の解像度で圧縮することと、
前記選択された時間間隔の外側にある前記データの第２の部分を、前記第１の解像度よりも粗い、第２の解像度で圧縮することと、
前記通信ネットワーク上で、前記ネットワークインターフェースを介して、前記データの前記圧縮された第１及び第２の部分を送信することと、
を行うように構成されたプロセッサと、
を備える、装置。
（２）  前記１つ以上の時間間隔の前記選択部を医師から受信するよう構成されている、入力デバイスを備える、実施態様１に記載の装置。
（３）  前記プロセッサが、所与の基準に基づいて、前記１つ以上の時間間隔を自動的に選択するよう更に構成されている、実施態様１に記載の装置。
（４）  前記受信データが、１つ以上の心電図（ＥＣＧ）トレースを含む、実施態様１に記載の装置。
（５）  前記プロセッサが、前記選択された時間間隔にわたり算定された平均心拍数に基づいて、前記第１の解像度を選択するよう構成されている、実施態様４に記載の装置。
【００４８】
（６）  前記プロセッサは、前記時間間隔の間に不整脈が記録された、１つ以上の兆候に基づいて、前記１つ以上の時間間隔を選択するよう構成されている、実施態様４に記載の装置。
（７）  前記第１の解像度が、前記第２の解像度の少なくとも２倍である、実施態様１に記載の装置。
（８）  通信ネットワーク上で通信するよう構成されているネットワークインターフェースと、
プロセッサであって、
時間の関数として取得した医療パラメータを含めたデータを、前記ネットワークインターフェースを介して前記通信ネットワーク上で受信することであって、前記データが、（ｉ）１つ以上の選択された時間間隔内にあり、かつ第１の解像度で圧縮されている第１の部分、及び（ｉｉ）前記選択された時間間隔の外側にあり、かつ前記第１の解像度よりも粗い第２の解像度で圧縮されている第２の部分を含む、ことと、
前記データの前記第１及び第２の部分を解凍して、前記解凍データを処理することと、
を行うように構成されたプロセッサと、
を備える、装置。
（９）  前記プロセッサが、前記解凍データをアーカイブに保管するよう構成されている、実施態様８に記載の装置。
（１０）  前記プロセッサが、前記ネットワークインターフェースを介して、前記通信ネットワーク上で前記データの前記解凍された第１及び第２の部分を、リモートプロセッサに送信するよう構成されている、実施態様８に記載の装置。
【００４９】
（１１）  プロセッサにおいて、（ｉ）時間の関数として取得した医療パラメータを含むデータ、及び（ｉｉ）期間内の目的の１つ以上の時間間隔の選択部を受信することと、
前記選択された時間間隔内にある前記データの第１の部分を、第１の解像度で圧縮することと、
前記選択された時間間隔の外側にある前記データの第２の部分を、前記第１の解像度よりも粗い、第２の解像度で圧縮することと、
通信ネットワーク上で、前記データの前記圧縮された第１及び第２の部分を送信することと、
を含む、方法。
（１２）  前記選択部を受信することが、入力デバイスを使用して、医師から前記１つ以上の時間間隔の前記選択部を受信することを含む、実施態様１１に記載の方法。
（１３）  所与の基準に基づいて、前記１つ以上の時間間隔を自動的に選択することを含む、実施態様１１に記載の方法。
（１４）  前記データを受信することが、１つ以上の心電図（ＥＣＧ）トレースを受信することを含む、実施態様１１に記載の方法。
（１５）  前記選択された時間間隔にわたり算定された平均心拍数に基づいて、前記第１の解像度を選択することを含む、実施態様１４に記載の方法。
【００５０】
（１６）  前記１つ以上の時間間隔を選択することは、前記時間間隔の間に不整脈が記録された、１つ以上の兆候に基づいて、前記１つ以上の時間間隔を選択することを含む、実施態様１４に記載の方法。
（１７）  前記第１の解像度が、前記第２の解像度の少なくとも２倍である、実施態様１１に記載の方法。
（１８）  プロセッサにおいて、時間の関数として取得した医療パラメータを含めたデータを、通信ネットワーク上で受信することであって、前記データが（ｉ）１つ以上の選択された時間間隔内にあり、かつ第１の解像度で圧縮されている第１の部分、及び（ｉｉ）前記選択された時間間隔の外側にあり、かつ前記第１の解像度よりも粗い第２の解像度で圧縮されている第２の部分を含む、ことと、
前記データの前記第１及び第２の部分を解凍して、前記解凍データを処理することと、
を含む、方法。
（１９）  前記プロセッサを使用して、前記解凍データをアーカイブに保管することを含む、実施態様１８に記載の方法。
（２０）  前記通信ネットワーク上で、リモートプロセッサに前記データの前記解凍された第１及び第２の部分を送信することを含む、実施態様１８に記載の方法。
【図１】
2020025875.tif 000003
【図２】
2020025875.tif 000004
【図３】
2020025875.tif 000005
【図４】
2020025875.tif 000006
【外国語明細書】
2020025875000001.pdf